(57)【特許請求の範囲】
【請求項１】
機械室（５）に臨ませて配したパネル（６）が通気用の開口（７）を有しており、この開口（７）に対してルーバ（９）を着脱自在に取り付ける構造であって、
ルーバ（９）は、開口（７）に嵌合する枠体本体（２５）と、枠体本体（２５）の上辺から機械室（５）側へ突出する複数個の上部係止片（２９）と、各上部係止片（２９）の上面に配されるリブ（３１）とを有しており、
各上部係止片（２９）は、枠体本体（２５）から機械室（５）側に向かって突出形成される基端部（３２）と、基端部（３２）の前端に形成されて、該基端部（３２）よりも左右方向の横幅寸法が大きい先端部（３３）とを有しており、
各リブ（３１）は、上部係止片（２９）の先端部（３３）の前端から枠体本体（２５）の上面にかけて形成されており、
各リブ（３１）は、上部係止片（２９）の上面の左右方向の中央部に形成されており、各リブ（３１）の機械室（５）側の上面は、機械室（５）側ほど低くなる傾斜状に形成されており、
パネル（６）の上部の内側には上側支持体（３５）が配されていて、上側支持体（３５）には、前記上部係止片（２９）に臨む複数の箇所に係止孔（４０）が設けられており、
各係止孔（４０）は、ルーバ（９）の上部係止片（２９）を通すための通孔部（４１）と、リブ（３１）を通すためのリブ孔部（４２）とを有しており、
通孔部（４１）の下側に上部係止片（２９）の基端部（３２）が嵌合する嵌合孔部（４３）が繋げて形成されており、
リブ孔部（４２）は、その横幅寸法がリブ（３１）の横幅寸法よりも大きく、かつ上部係止片（２９）の先端部（３３）の横幅寸法よりも小さくなっており、
係止孔（４０）が、通孔部（４１）の左右方向の中央部に形成されていることを特徴とするルーバ取付構造。
【請求項２】
ルーバ（９）は、枠体本体（２５）の下辺から下向きに突出する下部係止片（３０）を有しており、
パネル（６）の下部の内側には、上下方向に延びる段部（４６）を備えた下側支持体（３６）が配されており、
前記段部（４６）にルーバ（９）の下部係止片（３０）が当接することで、下部係止片（３０）のパネル（６）の外側への移動が規制される請求項１記載のルーバ取付構造。
【請求項３】
上部係止片（２９）の先端部（３３）は、その左右の横幅寸法が機械室（５）側ほど小さくなる、平面視で台形形状に形成されている、請求項１又は２記載のルーバ取付構造。  
【発明の詳細な説明】
【技術分野】
【０００１】
本発明は、製氷機や冷蔵庫などの機械室の前面に配したパネルに開口を設け、この開口に対して着脱自在に装着されるルーバの取付構造に関する。
【背景技術】
【０００２】
特許文献１には、フィルタを装着したルーバがパネルの開口に対して揺動可能に支持されており、このルーバのフックが、前記開口の縁に取り付けた枠状本体の係合孔に係合することで、ルーバで前記開口が閉じられるものが開示されている。そして、ルーバを揺動させて、前記開口を開いた状態でルーバからフィルタを外して清掃などを行うようになっている。
【０００３】
特許文献２には、パネルの開口の周縁を機械室側に折り曲げて、その左右の折曲片の内側の凹みに、ルーバの左右の凸部をそれぞれ係合させることで、前記開口にルーバを着脱自在に取り付けるものが開示されている。
【０００４】
【特許文献１】特開２０００−１７１１４７号公報（図１）
【特許文献２】特開２００２−２２４５２０号公報（図１−４）
【特許文献３】特開２００３−３３６９５８号公報（図９）
【特許文献４】特開２００２−２６７３２７号公報（図１）
【発明の開示】
【発明が解決しようとする課題】
【０００５】
製氷機にあっては、氷を取り出し易くするために、氷を生成貯蔵する製氷室を製氷機の下部に配するとともに機械室を製氷機の上部に配することがある。この製氷機において氷の貯蔵量を多くする場合には、製氷機の高さ寸法を大きくして製氷室の容量を大きくすることになる。これに伴って、機械室の前面のパネルの位置が作業者の身長よりも高くなることがある。
【０００６】
特許文献１では、パネルの開口からルーバを取り外すことはできないため、パネルの位置が高い場合には、ルーバの位置も高くなってルーバからフィルタを外して清掃したり、またフィルタをルーバに装着したりすることなどが困難になる。
【０００７】
特許文献２では、パネルの開口からルーバを取り外すときには、ルーバを前側に無理やり引っ張って、ルーバの凸部をパネルの開口部の凹みから外さなければならず、パネルの位置が高い場合には、ルーバを取り外したり取り付けたりする作業が困難になる。
【０００８】
そこで本発明の目的は、ルーバの位置が高い場合でも、ルーバを取り外したり取り付けたりする作業を容易に行えるルーバ取付構造を提供することにある。
【課題を解決するための手段】
【０００９】
本発明に係るルーバ取付構造は、図１に示すごとく、機械室５に臨ませて配したパネル６が通気用の開口７を有しており、この開口７に対してルーバ９を着脱自在に取り付けるようになっている。
【００１０】
本発明では、ルーバ９が、図１に示すごとく、開口７に嵌合する枠体本体２５と、枠体本体２５の上辺から機械室５側へ突出する複数個の上部係止片２９と、各上部係止片２９の上面に配されるリブ３１とを有している。各上部係止片２９は、図５に示すごとく、枠体本体２５から機械室５側に向かって突出形成される基端部３２と、基端部３２の前端に形成されて、該基端部３２よりも左右方向の横幅寸法が大きい先端部３３とを有している。各リブ３１は、上部係止片２９の先端部３３の前端から枠体本体２５の上面にかけて形成されており、各リブ３１は、上部係止片２９の上面の左右方向の中央部に形成されており、各リブ３１の機械室５側の上面は、機械室５側ほど低くなる傾斜状に形成されている。パネル６の上部の内側には、図１に示すごとく、上側支持体３５が配されていて、上側支持体３５には、ルーバ９の上部係止片２９に臨む複数の箇所に係止孔４０が設けられている。各係止孔４０は、ルーバ９の上部係止片２９を通すための通孔部４１と、リブ３１を通すためのリブ孔部４２とを有している。通孔部４１の下側に上部係止片２９の基端部３２が嵌合する嵌合孔部４３が繋げて形成されている。リブ孔部４２は、その横幅寸法がリブ３１の横幅寸法よりも大きく、かつ上部係止片２９の先端部３３の横幅寸法よりも小さくなっている。係止孔４０は、通孔部４１の左右方向の中央部に形成されている。
【００１２】
また、ルーバ９は、枠体本体２５の下辺から下向きに突出する下部係止片３０を有しており、パネル６の下部の内側には、上下方向に延びる段部４６を備えた下側支持体３６が配されており、下側支持体３６の段部４６にルーバ９の下部係止片３０が当接することで、下部係止片３０のパネル６の外側への移動が規制される。
【００１４】
上部係止片２９の先端部３３は、係止孔４０への挿入を容易にするために、横幅寸法が機械室５側ほど小さくなって、平面視で台形形状に形成されていることが好ましい。
【発明の効果】
【００１５】
本発明によれば、ルーバ９の枠体本体２５をパネル６の開口７内に差し入れ、ルーバ９の上部係止片２９とリブ３１とをパネル６の係止孔４０に挿入してルーバ９を下降させるだけで、上部係止片２９の基端部３２が係止孔４０の嵌合孔部４３に嵌合して、パネル６の開口７からのルーバ９の抜け止めを図った状態でルーバ９を開口７に取り付けることができる。また、ルーバ９を押し上げるだけで、上部係止片２９の基端部３２がパネル６の係止孔４０の嵌合孔部４３から外れて、ルーバ９をパネル６の開口７から取り外すことができる。したがって、ルーバ９の位置が高い場合でも、ルーバ９を容易に取り外したり取り付けたりすることができる。
【００１６】
そのうえで、上部係止片２９にリブ３１を配したので、ルーバ９の軽量化のためにルーバ９の肉厚を薄くしたりルーバ９をプラスチックなどで形成しても、上部係止片２９が撓んだりせず、上部係止片２９を係止孔４０に確実に通すことができる。
【００１７】
係止孔４０が、ルーバ９の上部係止片２９を通すための通孔部４１と、リブ３１を通すためのリブ孔部４２とを有すると、リブ３１が係止孔４０のリブ孔部４２に嵌入したときにはルーバ９が横方向にぶれることない。したがって、上部係止片２９を係止孔４０に正確に通すことができ、ルーバ９の位置が高い場合でも、ルーバ９をより容易に取り付けることができる。
【００１８】
パネル６の下側支持体３６の段部４６にルーバ９の下部係止片３０が当接することで、下部係止片３０のパネル６の外側への移動が規制されると、取り付け後のルーバ９がパネル６の開口７から抜けることをより確実に防止できる。
【発明を実施するための最良の形態】
【００１９】
図面は、本発明のルーバ取付構造を適用した縦長の製氷機を示しており、図２に示すごとく、製氷機本体１の下部に断熱構造の製氷室２が配されており、製氷室２内の上部に、多数の立方体形状の氷を生成する製氷部３が配されている。製氷部３で生成された氷は、製氷室２の下部空間に貯蔵される。製氷機本体１の上部には機械室５が配されている。
【００２０】
製氷機本体１の上部の前面には、上下一対のフロントパネル６・６がそれぞれ機械室５に臨ませて配されている。各フロントパネル６の左右方向の一側端部（図２では右側）には、外気を機械室５内に吸い込むための通気用の吸気口（開口）７がそれぞれ設けられている。各吸気口７は、四角形状に形成されており、プラスチック製のルーバ９がそれぞれ着脱自在に取り付けられる。
【００２１】
機械室５内には、図３に示すごとく冷凍機の圧縮機１０や凝縮器１１などが配される。冷凍機の蒸発器１２は、図２に示すごとく前記製氷部３に取り付けられていて製氷部３を冷却する。ルーバ９の後ろ側（機械室５側）には、図１に示すごとく除塵用のフィルタ１５が配されており、フィルタ１５の後ろ側に前記凝縮器１１が配されている。
【００２２】
凝縮器１１の後ろ側には、図３に示すごとくファン１６が配されており、このファン１６によって外気が、ルーバ９、フィルタ１５および凝縮器１１を順に通って機械室５内に吸い込まれる。機械室５の側面および後面には、機械室５内に吸い込まれた外気を吹き出すための複数の排気口１７（図３参照）がそれぞれ配されている。製氷室２の前面には、図２に示すごとく、透明窓を有するスライド扉１９と、下端を軸に前後に揺動する揺動扉２０とが配されている。
【００２３】
ルーバ９は、図１および図４に示すごとく、前記吸気口７に装着される枠体２１と、枠体２１の両側板間に架け渡される複数条のスラット２２とを有する。各スラット２２は、上下方向に所定間隔をあけて配されており、前側（図１の左側）が低くなる傾斜状に配されている。各スラット２２は、前端部が下向きに湾曲するとともに後端部が上向きに湾曲している。なお、スラット２２の後面側の左右中間において、各スラット２２を連結支持するための支持桟を上下方向に設けてもよい。
【００２４】
枠体２１は、前記吸気口７に対して若干の隙間を持って嵌合する枠体本体２５と、枠体本体２５の前端外周縁から外向きに延出して吸気口７の周縁前面に当接する鍔部２６と、枠体本体２５の上辺における左右方向の３箇所から機械室５側へそれぞれ突出する上部係止片２９と、枠体本体２５の下辺の後端から下向きに突出する左右横長の下部係止片３０とを有する。枠体本体２５は四角枠状に形成される。
【００２５】
前記鍔部２６が吸気口７の周縁に当接することで、外気が枠体本体２５と吸気口７との隙間から機械室５内に直接入り込むことが防がれて、外気をフィルタ１５に確実に通すことができる。
【００２６】
各上部係止片２９は、図５に示すごとくほぼ矢印形状になっており、その上面にリブ３１が配される。各上部係止片２９は、枠体本体２５側に形成される基端部３２と、基端部３２の先端側に形成されて基端部３２よりも左右横幅寸法が大きい先端部３３とを有する。先端部３３は、平面視で先端側が狭くなる台形形状に形成されている。
【００２７】
各リブ３１は、各上部係止片２９の先端部３３の先端から枠体２１の枠体本体２５の前部上面にかけて形成されている。各リブ３１は断面四角形状になっており、各リブ３１の機械室５側の上面は、機械室５側ほど低くなる傾斜状になっている。
【００２８】
各フロントパネル６の上部内面（内側）には、図１に示すごとく、左右横長の上側支持体３５が配されており、各フロントパネル６の下部内面（内側）には、左右横長の下側支持体３６が配されている。上下の支持体３５・３６は、それぞれ板材を折り曲げて形成してあり、フィルタ１５の上下をそれぞれ支持する。
【００２９】
前記上側支持体３５は、フィルタ１５の上面および上端後面に接して支持する逆Ｌ字状の支持板部３７と、支持板部３７の前端からフロントパネル６の内面側に延びる連結板部３９とを有する。上側支持体３５の連結板部３９には、図１および図５に示すごとく、各上部係止片２９に臨む箇所に係止孔４０がそれぞれ設けられている。各係止孔４０は、ルーバ９の上部係止片２９を通すための通孔部４１と、リブ３１を通すためのリブ孔部４２とを有しており、通孔部４１の下側に嵌合孔部４３が繋がっている。嵌合孔部４３には、上部係止片２９の基端部３２が嵌合する。
【００３０】
係止孔４０の通孔部４１は、その左右横幅寸法が上部係止片２９の先端部３３の左右横幅寸法よりも大きくなっている。リブ孔部４２の左右横幅寸法は、リブ３１の左右横幅寸法よりも大きく、かつ上部係止片２９の先端部３３の左右横幅寸法よりも小さくなっている。つまり、リブ孔部４２の左右横幅寸法は、リブ３１の左右横幅寸法よりもわずかに大きくなっている。嵌合孔部４３は、その左右横幅寸法が上部係止片２９の基端部３２の左右横幅寸法よりもわずかに大きくなっている。
【００３１】
各フロントパネル６の下側支持体３６は、図１に示すごとく、フィルタ１５の下面を受け止めて支持する支持板部４５と、支持板部４５の前端から上向きに折れ曲がって形成される段板部（段部）４６と、段板部４６の上端から前向きに折れ曲がって形成されていてルーバ９の枠体本体２５の下面を受け止める載置板部４７と、支持板部４５の後端からフロントパネル６の内面側に延びる連結板部４９とを有する。ルーバ９の下部係止片３０が段板部４６の後面に当接することで、下部係止片３０のフロントパネル６の外側（図１では左側）への移動が規制される。
【００３２】
ルーバ９の枠体本体２５の左右側辺の後端には、図４に示すごとく、フィルタ１５の左右側面に当たる上下一対の位置決め板部５０がそれぞれ設けられている。位置決め板部５０によってフィルタ１５が位置決めされる。
【００３３】
ルーバ９をフロントパネル６に取り付ける場合には、図６に示すごとく、ルーバ９の枠体本体２５をフロントパネル６の吸気口７内に差し入れる。このとき、ルーバ９の下部係止片３０の下端が、フロントパネル６の下側支持体３６の載置板部４７上に載り、ルーバ９が吸気口７に対してやや上寄りに位置する（図６の状態）。
【００３４】
この状態のままルーバ９を押し込むことで、ルーバ９の上部係止片２９の先端部３３がフロントパネル６の係止孔４０の通孔部４１に挿入されるとともに、リブ３１が係止孔４０のリブ孔部４２に嵌入する。これにより、ルーバ９が左右にぶれることなく上部係止片２９が係止孔４０から外れずに正確に通る。
【００３５】
さらにルーバ９を押し込むことで、ルーバ９の下部係止片３０が前記下側支持体３６の載置板部４７から外れてルーバ９が若干下降し、これによってルーバ９の枠体本体２５の下面が載置板部４７上に載るとともに、ルーバ９の下部係止片３０がフロントパネル６の段板部４６の後面に臨んで、ルーバ９の下側が前方へ移動することを規制する。
【００３６】
このとき、ルーバ９の上部係止片２９の基端部３２が係止孔４０の嵌合孔部４３に嵌合しており、上部係止片２９の先端部３３の前面が、上側支持体３５の立直板部３９の後面に臨んで、ルーバ９の上側が前方へ移動することを規制する。つまり、ルーバ９は、フロントパネル６の吸気口７からの抜け止めが図られた状態で吸気口７に取り付けられる。
【００３７】
ルーバ９をフロントパネル６から取り外す場合には、ルーバ９を若干押し上げる。すると、ルーバ９の下部係止片３０がフロントパネル６の段板部４６より上側に位置するとともに、ルーバ９の上部係止片２９の基端部３２が係止孔４０の嵌合孔部４３から外れる。この状態で、ルーバ９を前方へ動かすことで、上部係止片２９およびリブ３１が係止孔４０から外れ、次いでルーバ９がフロントパネル６の吸気口７から外れる。
【００３８】
フロントパネル６の係止孔４０の通孔部４１の上下幅寸法を大きくして、上部係止片２９の先端部３３とリブ３１とが通孔部４１を同時に通れるようにしてもよい。この場合、リブ孔部４２を省略できる。
【００３９】
ルーバ９の左右の位置決め板部５０・５０の間にフィルタ１５を挟んでからルーバ９をフロントパネル６に取り付けてもよく、フィルタ１５をフロントパネル６に取り付けてからルーバ９をフロントパネル６に取り付けてもよい。
【図面の簡単な説明】
【００４０】
【図１】本発明のルーバ取付構造の縦断側面図
【図２】本発明を適用した製氷機の正面図
【図３】製氷機の機械室を示す側面図
【図４】ルーバ取付構造の要部を示す正面図
【図５】本発明に係る上部係止片および係止孔を示す斜視図
【図６】パネルの吸気口へのルーバの取り付けを説明するための縦断側面図
【符号の説明】
【００４１】
５  機械室
６  フロントパネル
７  吸気口
９  ルーバ
２５  枠体本体
２９  上部係止片
３０  下部係止片
３１  リブ
３２  基端部
３３  先端部
３５  上側支持体
３６  下側支持体
４０  係止孔
４１  通孔部
４２  リブ孔部
４３  嵌合孔部
４６  段板部
【図１】
0004585469.tif 000002
【図２】
0004585469.tif 000003
【図３】
0004585469.tif 000004
【図４】
0004585469.tif 000005
【図５】
0004585469.tif 000006
【図６】
0004585469.tif 000007